【手続補正書】
【提出日】平成24年1月30日(2012.1.30)
【手続補正１】
【補正対象書類名】特許請求の範囲
【補正対象項目名】全文
【補正方法】変更
【補正の内容】
【特許請求の範囲】
【請求項１】
被検者の目に準弾性光散乱および蛍光リガンド走査のうちの少なくとも１つを実施するためのシステムであって、該システムは、
測定される該目の中の場所を操作者が選択することを可能にするように、該目の画像を示す表示スクリーンと、
該目の選択された場所に準弾性光散乱および蛍光リガンド走査のうちの少なくとも１つを実行するため、かつ実施される準弾性光散乱および蛍光リガンド走査のうちの少なくとも１つと関連するデータを収集するためのプロセッサに連結された光学ユニットと
を備え、該プロセッサは、該操作者による再検討のために、該表示スクリーン上に該データを表示する、システム。
【請求項２】
準弾性光散乱および蛍光リガンド走査のうちの少なくとも１つからのデータは、前記同じ表示スクリーン上に表示される、請求項１に記載のシステム。
【請求項３】
前記データは、６０ミリ秒以下のサイクルで収集される、請求項１に記載のシステム。
【請求項４】
前記システムは、最大１０回の連続サイクルを実行する、請求項３に記載のシステム。
【請求項５】
前記データは、検査設定と、前記目の正面視野および断面視野の画像と、準弾性光散乱および蛍光リガンド走査のうちの少なくとも１つに対する平均強度値と、準弾性光散乱および蛍光リガンド走査のうちの少なくとも１つに対する自己相関関数の図式描写と、自己相関データへの指数関数適合に基づく曲線適合パラメータとして、前記表示スクリーン上に表示される、請求項１に記載のシステム。
【請求項６】
収集される前記データは、実施される準弾性光散乱と関連する散乱光の平均強度、および実施される蛍光リガンド走査と関連する平均蛍光強度のうちの少なくとも１つを含む、請求項１に記載のシステム。
【請求項７】
前記データは、前記目の水晶体の核領域および該目の水晶体の核上領域のうちの少なくとも１つから収集される、請求項１に記載のシステム。
【請求項８】
前記目の水晶体の前記核領域中の場所の蛍光リガンド走査と関連する平均蛍光強度（ＩＦＬＳ−Ｎ）と、該目の水晶体の前記核上領域中の場所の蛍光リガンド走査と関連する平均蛍光強度（ＩＦＬＳ−ＳＮ）との間の比（ＦＬＳＮｏｒｍ）は、方程式ＦＬＳＮｏｒｍ＝ＩＦＬＳ−ＳＮ／ＩＦＬＳ−Ｎに従って決定されてもよく、該目の水晶体の該核領域中の準弾性光散乱と関連する散乱光の平均強度（ＩＱＬＳ−Ｎ）と、該目の水晶体の該核上領域中の準弾性光散乱と関連する散乱光の平均強度（ＩＱＬＳ−ＳＮ）との間の比（ＱＬＳＮｏｒｍ）は、方程式ＱＬＳＮｏｒｍ＝ＩＱＬＳ−ＳＮ／ＩＱＬＳ−Ｎに従って決定されてもよく、ＦＬＳＮｏｒｍまたはＱＬＳＮｏｒｍの増加は、該目の中の物質または物体の存在における増加を示す、請求項６に記載のシステム。
【請求項９】
測定品質の測定基準（Ｎｘ）は、ＱＬＳＮｏｒｍとＦＬＳＮｏｒｍとの積として計算される、請求項８に記載のシステム。
【請求項１０】
前記システムは、前記目の中の物質または物体の存在を検出する、請求項１に記載のシステム。
【請求項１１】
前記物質または物体は、β−アミロイドタンパク質である、請求項１０に記載のシステム。
【請求項１２】
収集される前記データの少なくとも一部分は、疾患の進行を追跡するために使用される、請求項１に記載のシステム。
【請求項１３】
準弾性光散乱および蛍光リガンド走査のうちの少なくとも１つの測定品質は、曲線ｙ（ｔ）＝Ｉｅ−ｋｔを使用して分析され、式中、Ｉは、平均強度であり、ｋは、減衰時定数であり、ｔは、時間である、請求項１に記載のシステム。
【請求項１４】
前記プロセッサは、前記目に造影剤を導入する前に該目の蛍光の第１のデータを測定し、該造影剤を導入した後に該目の蛍光の第２のデータを測定し、該第１のデータを該第２のデータと比較する、請求項１に記載のシステム。
【請求項１５】
前記第１のデータを前記第２のデータと比較することは、該第２のデータから該第１のデータを引くことを含む、請求項１４に記載のシステム。
【請求項１６】
被検者の目に準弾性光散乱および蛍光リガンド走査のうちの少なくとも１つを実施するためのシステムであって、該システムは、
該被検者の目に向かって光を伝送するように構成される光源と、
該光源から発射され、該被検者の目から受光される光の焦点を合わせるように構成されるレンズと、
該焦点を合わせられた光の少なくとも一部分を受光するように配置され、かつ該受光された光の第１の部分を反射するように構成される、測定反射器と、
該受光された光の少なくとも一部分を受光するように構成および配置され、かつ該受光された光の該第１の部分に対応する画像のインデックスを提供するように構成される、カメラと、
操作者が分析するための該目の領域を選択することを可能にするように、該画像を表示するための表示スクリーンと、
該カメラに連結され、かつ準弾性光散乱からの散乱光および蛍光リガンド走査からの蛍光のうちの少なくとも１つを分析して、該目の選択された領域に位置する関心の物質または物体を検出するように構成される、プロセッサと
を備える、システム。
【請求項１７】
前記関心の物質または物体は、β−アミロイドである、請求項１６に記載のシステム。
【請求項１８】
前記散乱光および蛍光のうちの少なくとも１つの平均強度は、前記目の水晶体の核上領域および前記目の水晶体の核領域のうちの少なくとも１つに対して分析される、請求項１６に記載のシステム。
【請求項１９】
前記目の水晶体の前記核領域からの散乱光の平均強度を、該目の水晶体の前記核上領域に対する散乱光の平均強度と比較することは、該目の中の前記関心の物質または物体の存在を評価するための相関係数を提供する、請求項１８に記載のシステム。
【請求項２０】
前記目の水晶体の前記核領域からの平均蛍光強度を、該目の水晶体の前記核上領域に対する平均蛍光強度と比較することは、該目の中の前記関心の物質または物体の存在を評価するための相関係数を提供する、請求項１８に記載のシステム。
【請求項２１】
前記プロセッサは、造影剤の導入前および造影剤の導入後に、前記目の領域から蛍光強度を測定して、該２つの強度間の差異を決定する、請求項１６に記載のシステム。
【請求項２２】
前記プロセッサは、操作者の再検討のために前記表示スクリーン上にデータを表示し、該データは、前記散乱光および蛍光のうちの少なくとも１つの平均強度を含む、実施される準弾性光散乱および蛍光リガンド走査のうちの少なくとも１つについての情報を含む、請求項１６に記載のシステム。
【請求項２３】
準弾性光散乱および蛍光リガンド走査のうちの少なくとも１つを実行し、準弾性光散乱および蛍光リガンド走査のうちの少なくとも１つからのデータを前記表示スクリーン上に表示するように、前記システムを制御するためのコンピュータ可読でコンピュータ実行可能な命令を含有する、コンピュータをさらに備える、請求項１６に記載のシステム。
【請求項２４】
前記プロセッサは、準弾性光散乱および蛍光リガンド走査のうちの少なくとも１つが実施されている間に、データが前記被検者の運動によって生じているかどうかを評価するために自己相関関数を実行する、請求項１６に記載のシステム。
【手続補正２】
【補正対象書類名】明細書
【補正対象項目名】００２８
【補正方法】変更
【補正の内容】
【００２８】
本発明自体とともに、本発明のこれらの能力および他の能力は、以下の図、発明を実施するための形態、および請求項を再検討した後に、より完全に理解されるであろう。
例えば、本発明は以下の項目を提供する。
（項目１）
被検者の目に準弾性光散乱および蛍光リガンド走査のうちの少なくとも１つを実施するためのシステムであって、該システムは、
測定される該目の中の場所を操作者が選択することを可能にするように、該目の画像を示す表示スクリーンと、
該目の選択された場所に準弾性光散乱および蛍光リガンド走査のうちの少なくとも１つを実行するため、かつ実施される準弾性光散乱および蛍光リガンド走査のうちの少なくとも１つと関連するデータを収集するためのプロセッサに連結された光学ユニットと
を備え、該プロセッサは、該操作者による再検討のために、該表示スクリーン上に該データを表示する、システム。
（項目２）
準弾性光散乱および蛍光リガンド走査のうちの少なくとも１つからのデータは、上記同じ表示スクリーン上に表示される、項目１に記載のシステム。
（項目３）
上記データは、６０ミリ秒以下のサイクルで収集される、項目１に記載のシステム。
（項目４）
上記システムは、最大１０回の連続サイクルを実行する、項目３に記載のシステム。
（項目５）
上記データは、検査設定と、上記目の正面視野および断面視野の画像と、準弾性光散乱および蛍光リガンド走査のうちの少なくとも１つに対する平均強度値と、準弾性光散乱および蛍光リガンド走査のうちの少なくとも１つに対する自己相関関数の図式描写と、自己相関データへの指数関数適合に基づく曲線適合パラメータととして、上記表示スクリーン上に表示される、項目１に記載のシステム。
（項目６）
収集される上記データは、実施される準弾性光散乱と関連する散乱光の平均強度、および実施される蛍光リガンド走査と関連する平均蛍光強度のうちの少なくとも１つを含む、項目１に記載のシステム。
（項目７）
上記データは、上記目の水晶体の核領域および該目の水晶体の核上領域のうちの少なくとも１つから収集される、項目１に記載のシステム。
（項目８）
上記目の水晶体の上記核領域中の場所の蛍光リガンド走査と関連する平均蛍光強度（ＩＦＬＳ−Ｎ）と、該目の水晶体の上記核上領域中の場所の蛍光リガンド走査と関連する平均蛍光強度（ＩＦＬＳ−ＳＮ）との間の比（ＦＬＳＮｏｒｍ）は、方程式ＦＬＳＮｏｒｍ＝ＩＦＬＳ−ＳＮ／ＩＦＬＳ−Ｎに従って決定されてもよく、該目の水晶体の該核領域中の準弾性光散乱と関連する散乱光の平均強度（ＩＱＬＳ−Ｎ）と、該目の水晶体の該核上領域中の準弾性光散乱と関連する散乱光の平均強度（ＩＱＬＳ−ＳＮ）との間の比（ＱＬＳＮｏｒｍ）は、方程式ＱＬＳＮｏｒｍ＝ＩＱＬＳ−ＳＮ／ＩＱＬＳ−Ｎに従って決定されてもよく、ＦＬＳＮｏｒｍまたはＱＬＳＮｏｒｍの増加は、該目の中の物質または物体の存在における増加を示す、項目６に記載のシステム。
（項目９）
測定品質の測定基準（Ｎｘ）は、ＱＬＳＮｏｒｍとＦＬＳＮｏｒｍとの積として計算される、項目８に記載のシステム。
（項目１０）
上記システムは、上記目の中の物質または物体の存在を検出する、項目１に記載のシステム。
（項目１１）
上記物質または物体は、β−アミロイドタンパク質である、項目１０に記載のシステム。
（項目１２）
収集される上記データの少なくとも一部分は、疾患の進行を追跡するために使用される、項目１に記載のシステム。
（項目１３）
準弾性光散乱および蛍光リガンド走査のうちの少なくとも１つの測定品質は、曲線ｙ（ｔ）＝Ｉｅ−ｋｔを使用して分析され、式中、Ｉは、平均強度であり、ｋは、減衰時定数であり、ｔは、時間である、項目１に記載のシステム。
（項目１４）
上記プロセッサは、上記目に造影剤を導入する前に該目の蛍光の第１のデータを測定し、該造影剤を導入した後に該目の蛍光の第２のデータを測定し、該第１のデータを該第２のデータと比較する、項目１に記載のシステム。
（項目１５）
上記第１のデータを上記第２のデータと比較することは、該第２のデータから該第１のデータを引くことを含む、項目１４に記載のシステム。
（項目１６）
被検者の目に準弾性光散乱および蛍光リガンド走査のうちの少なくとも１つを実施するための方法であって、該方法は、
分析される該目の中の場所を選択することと、
該選択された場所に弾性光散乱および蛍光リガンド走査のうちの少なくとも１つを実施することと、
弾性光散乱および蛍光リガンド走査のうちの少なくとも１つと関連するデータを収集することと、
操作者の再検討のために該データを提示することと
を含む、方法。
（項目１７）
収集される上記データは、実施される準弾性光散乱と関連する散乱光の平均強度、および実施される蛍光リガンド走査と関連する平均蛍光強度のうちの少なくとも１つを含む、項目１６に記載の方法。
（項目１８）
上記平均強度データは、上記目の水晶体の核領域および該目の水晶体の核上領域の中の場所から収集され、該目の水晶体の該核領域からの散乱光の該平均強度と、該目の水晶体の該核上領域からの散乱光の該平均強度との間の比が決定される、項目１７に記載の方法。
（項目１９）
上記平均強度データは、上記目の水晶体の核領域および該目の水晶体の核上領域の中の場所から収集され、該目の水晶体の該核領域からの該平均蛍光強度と、該目の水晶体の該核上領域からの該平均蛍光強度との間の比が決定される、項目１７に記載の方法。
（項目２０）
蛍光リガンド走査を実施することは、
上記被検者の目を照射することと、
該目に造影剤を導入する前に、該目の蛍光の第１のデータを測定することと、
該目に該造影剤を導入することと、
該目に該造影剤を導入した後に、該目の蛍光の第２のデータを測定することと、
該第１のデータを該第２のデータと比較することと
を含む、項目１６に記載の方法。
（項目２１）
上記第１のデータを上記第２のデータと比較することは、該第２のデータから該第１のデータを引くことを含む、項目２０に記載の方法。
（項目２２）
上記データは、上記目からの上記平均蛍光強度である、項目２０に記載の方法。
（項目２３）
上記第２のデータの上記測定は、上記目に上記造影剤を導入してから２４時間以内に行われる、項目２０に記載の方法。
（項目２４）
上記方法は、上記目の中の物質または物体の存在を検出することが可能である、項目１６に記載の方法。
（項目２５）
上記物質または物体は、β−アミロイドである、項目２４に記載の方法。
（項目２６）
疾患の進行は、上記目の中の蛍光のレベルを測定することによって追跡され得る、項目１６に記載の方法。
（項目２７）
被検者の目に準弾性光散乱および蛍光リガンド走査のうちの少なくとも１つを実施するためのシステムであって、該システムは、
該被検者の目に向かって光を伝送するように構成される光源と、
該光源から発射され、該被検者の目から受光される光の焦点を合わせるように構成されるレンズと、
該焦点を合わせられた光の少なくとも一部分を受光するように配置され、かつ該受光された光の第１の部分を反射するように構成される、測定反射器と、
該受光された光の少なくとも一部分を受光するように構成および配置され、かつ該受光された光の該第１の部分に対応する画像のインデックスを提供するように構成される、カメラと、
操作者が分析するための該目の領域を選択することを可能にするように、該画像を表示するための表示スクリーンと、
該カメラに連結され、かつ準弾性光散乱からの散乱光および蛍光リガンド走査からの蛍光のうちの少なくとも１つを分析して、該目の選択された領域に位置する関心の物質または物体を検出するように構成される、プロセッサと
を備える、システム。
（項目２８）
上記関心の物質または物体は、β−アミロイドである、項目２７に記載のシステム。
（項目２９）
上記散乱光および蛍光のうちの少なくとも１つの平均強度は、上記目の水晶体の核上領域および上記目の水晶体の核領域のうちの少なくとも１つに対して分析される、項目２７に記載のシステム。
（項目３０）
上記目の水晶体の上記核領域からの散乱光の平均強度を、該目の水晶体の上記核上領域に対する散乱光の平均強度と比較することは、該目の中の上記関心の物質または物体の存在を評価するための相関係数を提供する、項目２９に記載のシステム。
（項目３１）
上記目の水晶体の上記核領域からの平均蛍光強度を、該目の水晶体の上記核上領域に対する平均蛍光強度と比較することは、該目の中の上記関心の物質または物体の存在を評価するための相関係数を提供する、項目２９に記載のシステム。
（項目３２）
上記プロセッサは、造影剤の導入前および造影剤の導入後に、上記目の領域から蛍光強度を測定して、該２つの強度間の差異を決定する、項目２７に記載のシステム。
（項目３３）
上記プロセッサは、操作者の再検討のために上記表示スクリーン上にデータを表示し、該データは、上記散乱光および蛍光のうちの少なくとも１つの平均強度を含む、実施される準弾性光散乱および蛍光リガンド走査のうちの少なくとも１つについての情報を含む、項目２７に記載のシステム。
（項目３４）
準弾性光散乱および蛍光リガンド走査のうちの少なくとも１つを実行し、準弾性光散乱および蛍光リガンド走査のうちの少なくとも１つからのデータを上記表示スクリーン上に表示するように、上記システムを制御するためのコンピュータ可読でコンピュータ実行可能な命令を含有する、コンピュータをさらに備える、項目２７に記載のシステム。
（項目３５）
上記プロセッサは、準弾性光散乱および蛍光リガンド走査のうちの少なくとも１つが実施されている間に、データが上記被検者の運動によって生じているかどうかを評価するために自己相関関数を実行する、項目２７に記載のシステム。